(57)【要約】【課題】報知される音声を使用者が聞き逃すことを低減できる加熱調理器を提供する。【解決手段】制御手段１３は、スピーカー６１により音声を出力させる前に、人感センサ３１の検出結果に基づいて使用者が存在するか否かを判定し、使用者が存在すると判定した場合には、第１音量の音声をスピーカー６１から出力させ、使用者が存在しないと判定した場合には、第１音量よりも大きい音量の音声をスピーカー６１から出力させる。【選択図】図３
2014035905.tif 000002
【特許請求の範囲】
【請求項１】
被加熱物を加熱する加熱手段と、
音声を出力する報知手段と、
前記加熱手段及び前記報知手段の制御を行う制御手段と、
使用者の存在の有無を検出する人感センサと、
を備え、
前記制御手段は、
前記報知手段により音声を出力させる前に、前記人感センサの検出結果に基づいて使用者が存在するか否かを判定し、
使用者が存在すると判定した場合には、第１音量の音声を前記報知手段から出力させ、
使用者が存在しないと判定した場合には、前記第１音量よりも大きい音量の音声を前記報知手段から出力させる
ことを特徴とする加熱調理器。
【請求項２】
前記制御手段は、
使用者が存在しないと判定した状態で、前記報知手段に音声を複数回出力させる場合には、前記報知手段から出力させる音声の音量を、段階的に大きくする
ことを特徴とする請求項１記載の加熱調理器。
【発明の詳細な説明】
【技術分野】
【０００１】
本発明は、加熱調理器に関する。
【背景技術】
【０００２】
従来、「電磁調理器本体１の前面右側には操作パネル６を配設し、この操作パネルの左側にはグリル７用のグリル扉８を引き出し自在に配設し、かつ、上記操作パネル６には、シーソー式の電源スイッチ９、複数の操作キー１０・・やプッシュプッシュ式で回転操作を行なう操作摘み１１・・、人体の接近を検出する人体センサ３９等を配設し、これらにて前面操作部を構成している」加熱調理器があった（例えば、特許文献１参照）。
【先行技術文献】
【特許文献】
【０００３】
【特許文献１】特開２００８−７１５５０号公報（［００１１］、図３）
【発明の概要】
【発明が解決しようとする課題】
【０００４】
例えば上記特許文献１に記載のような加熱調理器として、使用者の操作を受け付けると、報知音（操作音や音声ナビゲートメッセージ）を発するように構成されたものが知られている。このような加熱調理器の報知音の音量は、固定音量、あるいは予め設定された複数の固定音量の中から使用者が選択できるようになっている。
【０００５】
しかしながら、従来の加熱調理器においては、加熱調理器から出力される報知音の音量は、使用者の存在の有無と関連付けられていなかった。例えば上記特許文献１に記載の加熱調理器は、人体センサが検出した使用者の有無に基づいて使用者の操作回数を変えることができるが、報知音の音量については考慮されていなかった。このため、使用者と加熱調理器との距離に関わらず、一定の音量の報知音が出力される。したがって、報知音が予め小さく設定されていた場合であって、加熱調理器から離れた場所に使用者が存在する場合には、使用者は報知音を聞き逃してしまうおそれがあるという課題があった。
【０００６】
本発明は、上述のような課題を背景としてなされたものであり、報知される音声を使用者が聞き逃すことを低減できる加熱調理器を提供することを目的とする。
【課題を解決するための手段】
【０００７】
本発明に係る加熱調理器は、被加熱物を加熱する加熱手段と、音声を出力する報知手段と、前記加熱手段及び前記報知手段の制御を行う制御手段と、使用者の存在の有無を検出する人感センサと、を備え、前記制御手段は、前記報知手段により音声を出力させる前に、前記人感センサの検出結果に基づいて使用者が存在するか否かを判定し、使用者が存在すると判定した場合には、第１音量の音声を前記報知手段から出力させ、使用者が存在しないと判定した場合には、前記第１音量よりも大きい音量の音声を前記報知手段から出力させるものである。
【発明の効果】
【０００８】
本発明によれば、加熱調理器から離れた位置に使用者が存在する場合には、加熱調理器の近くに使用者が存在する場合よりも大きい音量の音声で使用者に対する報知が行われる。このため、加熱調理器から離れた位置に使用者が存在する場合であっても、報知される音声を使用者が聞き逃すことを低減できる。
【図面の簡単な説明】
【０００９】
【図１】本発明の実施の形態１に係る加熱調理器の外観斜視図である。
【図２】本発明の実施の形態１に係る加熱調理器の縦断面図である。
【図３】本発明の実施の形態１に係る加熱調理器の制御ブロック図である。
【図４】本発明の実施の形態１に係る加熱調理器の制御手段の制御内容を示すフローチャートである。
【発明を実施するための形態】
【００１０】
実施の形態１．
図１は、本発明の実施の形態１に係る加熱調理器１００の外観斜視図である。
図２は、本発明の実施の形態１に係る加熱調理器１００の縦断面図である。
図１，図２で示される本実施の形態に係る加熱調理器１００において、本体１の上面には、トッププレート２が設置されており、そのトッププレート２上には、鍋等の被加熱物４１を載置するための位置を示す左加熱口３、右加熱口４及び中央加熱口５が形成されている。
【００１１】
本体１の前部上面には、各種設定値及び異常情報等を表示する液晶パネル等の液晶表示部６、火力設定内容等をＬＥＤ等で表示する火力表示部７、並びに、火力等の加熱条件に関する操作入力を受け付ける上面操作部８が設置されている。
【００１２】
本体１の後部上面には、本体１の後面に設置された吸気口（図示せず）から、グリル庫１２１（後述）に取り込まれた空気、及び、調理物から発生する煙を外部に排出するため排気口９が設置されている。
【００１３】
本体１の右前面部には、左加熱口３における加熱動作のＯＮ／ＯＦＦ操作及び火力調整操作をするための左加熱口操作スイッチ１１ａ、右加熱口４における加熱動作のＯＮ／ＯＦＦ操作及び火力調整操作をするための右加熱口操作スイッチ１１ｂ、並びに、中央加熱口５における加熱動作のＯＮ／ＯＦＦ操作及び火力調整操作をするための中央加熱口操作スイッチ１１ｃを有する前面操作部１１が設けられている。
【００１４】
前面操作部１１の近傍には、例えば熱起電力型温度センサ等で構成され、加熱調理器１００の前方あるいはその近傍における使用者の存在の有無を検出する人感センサ３１が設置されており、その検出方向軸は例えば、略水平面と平行であり、加熱調理器１００の前の使用者が立っている状態、及び、しゃがみ込んでいる状態のいずれも検出することができ、また使用者の移動を検知することができる。
【００１５】
人感センサ３１は、使用者から放射される赤外線を検出し、使用者から放射される赤外線の検出量が所定の閾値以上であることを検出した場合、その検出方向に使用者が存在するものとして、制御手段１３に例えばＨｉ信号を出力する。人感センサ３１は、使用者から放射される赤外線の検出量が所定の閾値未満であることを検出した場合、その検出方向に使用者が存在しないものとして、制御手段１３に例えばＬｏ信号を出力する。なお、人感センサ３１は使用者から放射される赤外線の検出量に関する情報のみを制御手段１３に出力し、制御手段１３が、人感センサ３１から出力された赤外線の検出量に関する情報に基づいて使用者の存在の有無を検出するようにしてもよい。
【００１６】
なお、人感センサ３１は１つに限られず、互いに異なる方向を検出する人感センサ（図示せず）をさらに設置してもよい。このようにすれば、人体の検出精度を向上させることができる。また、人感センサ３１は、本体１の前面の前面操作部１１の近傍に設置されるものとしているが、これに限定されるものではなく、加熱調理器１００の前やその近傍に使用者が存在することを検出可能であれば、任意の場所に人感センサ３１を設置することができる。
【００１７】
また、人感センサ３１は、上記の赤外線センサに限らず、例えば、発光素子と受光素子とを有するフォトセンサからなり、発光素子からの光が検知物（人）に当たり、反射した光を受光素子で受けて検知するものでも良い。その他として、例えば、超音波方式、カメラ画像方式、温度検知方式など任意の検知方式を用いることができる。
【００１８】
本体１の左下側内部には、グリル部１２が設置されている。グリル部１２は、少なくとも、このグリル部１２の内部に通じ、本体１の前面部の左側に開閉可能に設置されたグリル扉１２０、そのグリル扉１２０から通じるグリル部１２の内部の調理空間であるグリル庫１２１、そのグリル庫１２１の底部に載置された載置皿１２２、その載置皿１２２の上に置かれ、上側に魚等の調理物２１を載置するための載置網１２３、グリル庫１２１内の上壁面に設置された庫内照明装置１２４によって構成されている。グリル扉１２０には、グリル庫１２１内の様子を確認するためのグリル窓１２０ａ、及び、このグリル扉１２０を開閉するために使用者が手を掛けるための取っ手１２０ｂが設置されている。図２に示す庫内照明装置１２４がグリル庫１２１を照射した状態において、使用者は、グリル扉１２０に設置されたグリル窓１２０ａをのぞき込むことによって、グリル庫１２１内の状態を確認することができる。
【００１９】
また、グリル庫１２１と排気口９とを連通させ、吸気口（図示せず）から取り込まれた空気を調理物２１から発生する煙と共に、グリル庫１２１から排気口９を介して外部に排気するための排気ダクト９ａが、グリル庫１２１の後方に形成されている。
【００２０】
図３は、本発明の実施の形態１に係る加熱調理器１００の制御ブロック図である。
図３に示されるように、上面操作部８、前面操作部１１、人感センサ３１、及び温度センサ５１ａ，５１ｂが、本体１内部に設置された制御手段１３に接続されている。また、制御手段１３には、ヒーター駆動回路１４、インバーター回路１５、液晶表示部６、火力表示部７、庫内照明装置１２４、及びスピーカー６１がそれぞれ接続されている。制御手段１３の内部には、加熱調理器１００の制御に関わる経過時間を計時するタイマー１３ａが設けられている。
【００２１】
上面操作部８及び前面操作部１１は、使用者からの操作を受け付けると、その操作に応じた情報を操作信号として制御手段１３に出力する。
人感センサ３１は、加熱調理器１００の前に使用者が存在するか否かを検出し、検出結果に基づく信号を制御手段１３に出力する。温度センサ５１ａは、本体１内部に設けられ、トッププレート２に載置された被加熱物４１の温度を検出し、検出結果に基づく信号を制御手段１３に出力する。温度センサ５１ａは、トッププレート２の裏面に接触するように配置されてトッププレート２を介して被加熱物の温度を検出するサーミスタ等の温度センサ、あるいは本体１内に設けられ被加熱物から放射される赤外線に基づいて被加熱物の温度を検出する赤外線温度センサ等、任意のものを用いることができる。温度センサ５１ｂは、本体１内部に設けられ、グリル部１２内の調理物２１の温度を検出し、検出結果に基づく信号を制御手段１３に出力する。
【００２２】
ヒーター駆動回路１４は、グリル庫１２１に設置されたヒーター１４ａに接続されており、制御手段１３から出力された信号に基づいてヒーター１４ａに通電させる。ヒーター１４ａの通電により、グリル庫１２１の載置網１２３の上に置かれた調理物２１（図１）が加熱される。
【００２３】
インバーター回路１５は、本体１内部に設けられ、左加熱口３の下部に設置された左加熱コイル１６ａ、右加熱口４の下部に設置された右加熱コイル１６ｂ、及び、中央加熱口５の下部に設置された中央加熱コイル１６ｃに接続されている。なお、左加熱コイル１６ａ、右加熱コイル１６ｂ、及び中央加熱コイル１６ｃを加熱コイル１６と総称することがある。インバーター回路１５は、制御手段１３から出力された信号に基づいて各コイルに個別に高周波電流を供給し、各加熱口に置かれた被加熱物４１（図２）を誘導加熱する。
【００２４】
なお、ヒーター１４ａ及び加熱コイル１６が、本発明における「加熱手段」に相当する。
【００２５】
液晶表示部６は、制御手段１３から出力された表示制御信号に基づいて、各種設定値及び異常情報等の情報を表示する。火力表示部７は、制御手段１３から出力された表示制御信号に基づいて、左加熱コイル１６ａ、右加熱コイル１６ｂ及び中央加熱コイル１６ｃの火力設定の内容、又は、グリル庫１２１内に設置されたヒーター１４ａの火力設定等の内容等の情報を表示する。
【００２６】
庫内照明装置１２４は、制御手段１３から出力された点灯指令に基づいて点灯、消灯する。
【００２７】
スピーカー６１は、本体１内部に設けられ、制御手段１３から出力された制御信号に従い、加熱調理器１００の動作状態に関する情報や誘導音声（ガイド音声）を出力するものである。この音声は、予め設定されている固定音量又は使用者により設定された音量（以下、これらの音量を第１音量と呼称することがある）でスピーカー６１から出力される。なお、スピーカー６１から出力される音量は、複数段階に設定できるようになっている。
【００２８】
制御手段１３は、上面操作部８、前面操作部１１、温度センサ５１ａから出力される情報に基づいて、インバーター回路１５を駆動し、各加熱コイル１６による加熱制御を行うほか、ヒーター駆動回路１４、液晶表示部６、火力表示部７、及び庫内照明装置１２４を制御する。また、制御手段１３は、後述するように、人感センサ３１からの出力に基づいて、スピーカー６１から出力する音声の音量を制御する。制御手段１３は、その機能を実現する回路デバイスのようなハードウェアで構成することもできるし、マイコンやＣＰＵのような演算装置と、その上で実行されるソフトウェアとにより構成することもできる。
【００２９】
なお、スピーカー６１が、本発明における「報知手段」に相当する。
【００３０】
図４は、本実施の形態１に係る加熱調理器１００の制御手段１３の制御内容を示すフローチャートである。
以下、図４を用いて制御手段１３の制御内容を順に説明する。
【００３１】
（ステップＳ１０）
制御手段１３は、加熱調理器１００の電源がＯＮの状態で、上面操作部８又は前面操作部１１から操作信号が出力されたかどうかを判定することにより、使用者により加熱に関する操作入力が行われたかどうか判定する。
制御手段１３は、加熱に関する操作が行われたと判定した場合には（ステップＳ１０でＹｅｓ）、ステップＳ２０に進む。
制御手段１３は、加熱に関する操作が行われていないと判定した場合には（ステップＳ１０でＮｏ）、ステップＳ１０の判定を繰り返す。
【００３２】
ここで、「加熱に関する操作」とは、例えば、以下の（Ａ−１）〜（Ａ−３）に示される操作をいう。
（Ａ−１）トッププレート２に載置された被加熱物４１又はグリル部１２内の調理物２１を、所定火力で加熱するために行われる火力を設定する操作。
（Ａ−２）トッププレート２に載置された被加熱物４１又はグリル部１２内の温度を所定温度まで昇温させるように予熱するために行われる目標温度を設定する操作。
（Ａ−３）トッププレート２に載置された被加熱物４１やグリル部１２内の調理物２１の加熱時間を設定する操作。
【００３３】
（ステップＳ２０）
制御手段１３は、ステップＳ１０で使用者により行われた操作に応じて上面操作部８又は前面操作部１１から出力された操作信号に基づいて、ヒーター駆動回路１４やインバーター回路１５を制御する制御信号を出力し、加熱制御を行う。
【００３４】
（ステップＳ３０）
制御手段１３は、タイマー１３ａの計時に関する信号や温度センサ５１ａ，５１ｂから出力される信号等に基づいて、スピーカー６１から音声を出力させるかどうかを判定する。
ここで、「音声を出力させる」場合とは、例えば、以下の（Ｂ−１）〜（Ｂ−３）に示される場合である。なお、以下の（Ｂ−１）〜（Ｂ−３）は、それぞれ上述の（Ａ−１）〜（Ａ−３）の操作が行われた後に主に発生しうる場面である。
（Ｂ−１）温度センサ５１ａ，５１ｂの検出温度が所定の温度を超過した場合。
（Ｂ−２）温度センサ５１ａ，５１ｂの検出温度が所定の目標温度に達した場合。
（Ｂ−３）タイマー１３ａの計時時間が設定された加熱時間に達した場合。
【００３５】
制御手段１３は、音声を出力させると判定した場合には（ステップＳ３０でＹｅｓ）、ステップＳ４０に進む。
制御手段１３は、音声を出力させないと判定した場合には（ステップＳ３０でＮｏ）、ステップＳ２０に戻って加熱制御を続ける。
【００３６】
（ステップＳ４０）
制御手段１３は、使用者の存在を示す信号が人感センサ３１から所定時間出力されたか否かにより、加熱調理器１００の前あるいはその近傍に使用者が存在するか否かを判定する。
制御手段１３は、人感センサ３１から使用者の存在を示す信号が所定時間出力された場合には、加熱調理器１００の前あるいはその近傍に使用者が存在すると判定し（ステップＳ４０でＹｅｓ）、ステップＳ６０に進む。
制御手段１３は、人感センサ３１から使用者の存在を示す信号が出力されない場合、あるいは使用者の存在を示す信号が所定時間未満しか出力されない場合には、加熱調理器１００の前あるいはその近傍に使用者が存在しないと判定し（ステップＳ４０でＮｏ）、ステップＳ５０に進む。
【００３７】
なお、ステップＳ４０において、制御手段１３が使用者の存在の有無を判定する基準とする「所定時間」は、任意の時間を採用することができる。
【００３８】
（ステップＳ５０）
制御手段１３は、予め設定された固定音量又は使用者により設定された音量である第１音量よりも大きい音量で、スピーカー６１から音声を出力させ、ステップＳ２０に戻る。このように、制御手段１３は、加熱調理器１００の前あるいはその近傍に使用者が存在しない場合には（ステップＳ４０でＮｏ）、スピーカー６１から出力する音声の音量を第１音量よりも大きな音量とすることで、加熱調理器１００から離れた場所に使用者が存在する場合であっても、使用者により確実に音声が伝わるようにしている。なお、ステップＳ５０で出力される音量を、使用者が設定できるようにしてもよい。
【００３９】
（ステップＳ６０）
制御手段１３は、予め設定された固定音量又は使用者により設定された音量である第１音量で、スピーカー６１から音声を出力させ、ステップＳ２０に戻る。このように、制御手段１３は、加熱調理器１００の前あるいはその近傍に使用者が存在する場合には（ステップＳ４０でＹｅｓ）、スピーカー６１から出力する音声の音量を、初期状態の音量である第１音量としている。このため、加熱調理器１００の前あるいはその近傍で調理作業を行っている使用者にとって、スピーカー６１から出力される音声が過度な大音量となりにくい。
【００４０】
なお、ステップＳ５０やステップＳ６０でスピーカー６１から出力される音声は例えば、所定の温度を超過していることを知らせる音声（（Ｂ−１）の場合）、予熱が終了したことを知らせる音声（（Ｂ−２）の場合）、設定された加熱時間が経過したことを知らせる音声（（Ｂ−３）の場合）である。
【００４１】
なお、図４ではステップＳ５０において音声出力を１回行うものとして説明したが、使用者が加熱調理器１００の前あるいはその近傍に存在しない場合であって、例えば被加熱物４１やグリル部１２内の温度が高温化している旨の報知や、使用者に対して次の操作入力を促す報知を行う際等には、制御手段１３は、複数回繰り返してスピーカー６１に音声出力させてもよい。複数回の音声出力を行う場合には、使用者が加熱調理器１００の前あるいはその近傍に存在しなければ、制御手段１３は、２回目以降の音声出力においてはスピーカー６１から出力される音量を、前回よりも大きくする。このようにすることで、スピーカー６１から出力される音声の音量は、最大音量を超えない範囲内で次第に大きくなっていく。このため、加熱調理器１００から離れた場所に使用者が存在する場合であっても、スピーカー６１から出力される音声が使用者に伝わる可能性を高めることができる。
【００４２】
なお、複数回の音声出力を行う場合において、音量を毎回上げるのではなく、音声出力を所定回数行った段階で音量を上げるようにしてもよい。このようにすることで、スピーカー６１から出力される音声が急激には大きくならないので、大音量による使用者の嫌悪感を抑制することができる。また、上昇させる音量の大きさを、使用者が設定できるようにしてもよい。
【００４３】
また、複数回の音声出力を行った後、使用者が加熱調理器１００の前あるいはその近傍に存在することが検知された場合には、制御手段１３は、それ以降にスピーカー６１から出力する音声の音量を、初期状態の音量である第１音量に戻してもよい。このようにすることで、加熱調理器１００の前あるいはその近傍に存在する使用者にとって過度な大音量が出力されることはなく、大音量による嫌悪感を使用者に生じさせることもない。
【００４４】
（実施の形態１の効果）
以上のように、本実施の形態１に係る加熱調理器１００は、スピーカー６１により音声を出力させる前に、人感センサ３１から出力される信号に基づいて、使用者が加熱調理器１００の前あるいはその近傍に存在するか否かを判定する。そして、使用者が加熱調理器１００の前あるいはその近傍に存在しないと判定した場合には、存在する場合よりも大きい音量の音声をスピーカー６１から出力する。
このため、加熱調理器１００から離れた位置に使用者が存在する場合には、加熱調理器１００の近くに使用者が存在する場合よりも大きい音量の音声で使用者に対する報知が行われる。したがって、加熱調理器１００から離れた位置に使用者が存在する場合であっても、報知される音声を使用者が聞き逃すことを低減できる。
【００４５】
また、本実施の形態１に係る加熱調理器１００は、加熱調理器１００の前あるいはその近傍に使用者が存在しないと判定した場合であって、音声を繰り返し出力する場合には、スピーカー６１から出力する音声の音量を次第に上げるようにした。このため、加熱調理器１００から離れた場所に使用者が存在する場合であっても、その使用者に加熱調理器１００からの音声が届く可能性を高めることができ、報知される音声を使用者が聞き逃すことを低減できる。
【００４６】
なお、本実施の形態１では、加熱調理器１００の前あるいはその近傍に使用者が存在するか否かにより、スピーカー６１から出力する音声の音量を異ならせることを説明した。しかし、使用者が存在するか否かによって、音声出力を行うか否かを切り替えてもよい。例えば、加熱調理器１００の前に戻ってくるよう使用者に促す音声を出力しようとする場合には、人感センサ３１からの出力に基づいて使用者が存在することを検出できれば、その音声を出力しないようにし、使用者の存在を検出できない場合のみ音声出力する。このようにすることで、無駄な音声出力を抑制して省エネルギー効果を得ることができるほか、無駄な音声により使用者に煩わしさを感じさせることもない。
【００４７】
また、本実施の形態１では、加熱調理器１００の前あるいはその近傍に使用者が存在しない場合には、第１音量よりも大きい音量で音声出力することを説明したが、このような自動的に音量を上昇させる機能を、使用者の選択により停止できるようにしてもよい。具体的には、音量調節を自動的に行うか否かを使用者が設定することのできる操作ボタン等を設け、その操作ボタンにより音量調節を自動的に行わない設定がなされた場合には、人感センサ３１により使用者が検出されるか否かにかかわらず、第１音量で音声出力する。このようにすることで、使用者の使用環境に適した加熱調理器１００を得ることができる。
【００４８】
また、本実施の形態１では、誘導加熱調理器の例について説明したが、これに限定されず、ガス調理器や電気ヒーターで加熱する調理器等にも適用可能である。
【符号の説明】
【００４９】
１  本体、２  トッププレート、３  左加熱口、４  右加熱口、５  中央加熱口、６  液晶表示部、７  火力表示部、８  上面操作部、９  排気口、９ａ  排気ダクト、１１  前面操作部、１１ａ  左加熱口操作スイッチ、１１ｂ  右加熱口操作スイッチ、１１ｃ  中央加熱口操作スイッチ、１２  グリル部、１３  制御手段、１３ａ  タイマー、１４  ヒーター駆動回路、１４ａ  ヒーター、１５  インバーター回路、１６  加熱コイル、１６ａ  左加熱コイル、１６ｂ  右加熱コイル、１６ｃ  中央加熱コイル、２１  調理物、３１  人感センサ、４１  被加熱物、５１ａ，５１ｂ  温度センサ、６１  スピーカー、１００  加熱調理器、１２０  グリル扉、１２０ａ  グリル窓、１２０ｂ  取っ手、１２１  グリル庫、１２２  載置皿、１２３  載置網、１２４  庫内照明装置。
【図１】
2014035905.tif 000003
【図２】
2014035905.tif 000004
【図３】
2014035905.tif 000005
【図４】
2014035905.tif 000006